(57)【要約】【課題】画素の輝度劣化を補償可能な表示装置を提供する。【解決手段】表示装置は、画面部１と、駆動部と、信号処理部１０とからなる。画面部１は、行状の走査線と、列状の信号線と、各走査線と各信号線とが交差する部分に配された行列状の画素と、光センサー８とを有するパネル０からなる。駆動部は、各走査線に順次制御信号を供給するスキャナと、各信号線に映像信号を供給するドライバとを有する。画素は、走査線から供給された制御信号に応じて選択されたとき、信号線から映像信号を取り込み、且つ取り込んだ映像信号に応じて発光する。光センサー８は、画素の発光輝度を検出して対応する輝度信号を出力する。信号処理部１０は、光センサー８から出力された輝度信号に応じて映像信号を補正し且つ補正された映像信号を駆動部のドライバに供給する。【選択図】図５
2010113226.tif 000002
【特許請求の範囲】
【請求項１】
画面部と、駆動部と、信号処理部とからなり、
前記画面部は、行状の走査線と、列状の信号線と、各走査線と各信号線とが交差する部分に配された行列状の画素と、光センサーとを有するパネルからなり、
前記駆動部は、各走査線に順次制御信号を供給するスキャナと、各信号線に映像信号を供給するドライバとを有し、
前記画素は、該走査線から供給された制御信号に応じて選択されたとき、該信号線から映像信号を取り込み、且つ取り込んだ映像信号に応じて発光し、
前記光センサーは、該画素の発光輝度を検出して対応する輝度信号を出力し、
前記信号処理部は、該光センサーから出力された輝度信号に応じて映像信号を補正し且つ補正された映像信号を該駆動部のドライバに供給する
表示装置。
【請求項２】
前記信号処理部は、該画面部に映像を表示する表示期間では通常の映像信号を供給し、映像を表示しない非表示期間に含まれる検出期間では、輝度検出用の映像信号を供給する請求項１記載の表示装置。
【請求項３】
前記信号処理部は、フレーム単位で前記検出用の映像信号を供給し、前記検出用の映像信号は、１フレームで検出対象となる画素のみを発光させ残りの画素は非発光状態にする請求項２記載の表示装置。
【請求項４】
前記信号処理部は、初期に該光センサーから出力された第１の輝度信号と、初期から所定時間経過後に該光センサーから出力された第２の輝度信号とを比較して発光輝度の低下分を求め、且つ求めた発光輝度の低下分を補償するように映像信号を補正して該駆動部のドライバに出力する請求項１記載の表示装置。
【請求項５】
前記光センサーは、該画面部に含まれる全画素の発光輝度を検出して該第２の輝度信号を出力するため、複数の非表示期間にわたって時分割的に発光輝度の検出を行う請求項１記載の表示装置。
【請求項６】
前記光センサーは、該画面部に映像を表示する表示期間で該画素から受光する量よりも、映像を表示しない非表示期間に含まれる検出期間で該画素から受光する量の方が多い請求項１記載の表示装置。
【請求項７】
前記信号処理部は、該表示期間では通常の映像信号を供給し、該検出期間では輝度検出用の映像信号を供給し、且つ通常の映像信号の最大レベルよりも輝度検出用の映像信号のレベルを大きくし、以って該表示期間で該光センサーが画素から受光する量よりも、該検出期間で該光センサーが該画素から受光する量の方が多くなる請求項６記載の表示装置。
【請求項８】
前記駆動部はフレーム毎に画面部の表示を更新し且つ一フレーム期間に画素が発光している期間の割合を示すデューティを調整して、該表示期間におけるデューティよりも該検出期間におけるデューティを大きくし、以って該表示期間で該光センサーが画素から受光する量よりも、該検出期間で該光センサーが該画素から受光する量の方が多くなる請求項６記載の表示装置。
【請求項９】
本体と、該本体に入力する情報若しくは本体から出力された情報を表示する表示器とからなり、
前記表示器は、画面部と、駆動部と、信号処理部とからなり、
前記画面部は、行状の走査線と、列状の信号線と、各走査線と各信号線とが交差する部分に配された行列状の画素と、光センサーとを有するパネルからなり、
前記駆動部は、各走査線に順次制御信号を供給するスキャナと、各信号線に映像信号を供給するドライバとを有し、
前記画素は、該走査線から供給された制御信号に応じて選択されたとき、該信号線から映像信号を取り込み、且つ取り込んだ映像信号に応じて発光し、
前記光センサーは、該画素の発光輝度を検出して対応する輝度信号を出力し、
前記信号処理部は、該光センサーから出力された輝度信号に応じて映像信号を補正し且つ補正された映像信号を該駆動部のドライバに供給する
電子機器。
【発明の詳細な説明】
【技術分野】
【０００１】
本発明は、画素毎に配した発光素子を電流駆動して画像を表示する表示装置に関する。またかかる表示装置を用いた電子機器に関する。詳しくは、各画素回路内に設けた絶縁ゲート型電界効果トランジスタによって有機ＥＬなどの発光素子に通電する電流量を制御する、いわゆるアクティブマトリクス型の表示装置の駆動方式に関する。
【背景技術】
【０００２】
表示装置、例えば液晶ディスプレイなどでは、多数の液晶画素をマトリクス状に並べ、表示すべき画像情報に応じて画素毎に入射光の透過強度又は反射強度を制御することによって画像を表示する。これは、有機ＥＬ素子を画素に用いた有機ＥＬディスプレイなどにおいても同様であるが、液晶画素と異なり有機ＥＬ素子は自発光素子である。その為、有機ＥＬディスプレイは液晶ディスプレイに比べて画像の視認性が高く、バックライトが不要であり、応答速度が高いなどの利点を有する。又、各発光素子の輝度レベル（階調）はそれに流れる電流値によって制御可能であり、いわゆる電流制御型であるという点で液晶ディスプレイなどの電圧制御型とは大きく異なる。
【０００３】
有機ＥＬディスプレイにおいては、液晶ディスプレイと同様、その駆動方式として単純マトリクス方式とアクティブマトリクス方式とがある。前者は構造が単純であるものの、大型且つ高精細のディスプレイの実現が難しいなどの問題がある為、現在はアクティブマトリクス方式の開発が盛んに行なわれている。この方式は、各画素回路内部の発光素子に流れる電流を、画素回路内部に設けた能動素子（一般には薄膜トランジスタ、ＴＦＴ）によって制御するものであり、以下の特許文献に記載がある。
【特許文献１】特開２００３−２５５８５６
【特許文献２】特開２００３−２７１０９５
【特許文献３】特開２００４−１３３２４０
【特許文献４】特開２００４−０２９７９１
【特許文献５】特開２００４−０９３６８２
【特許文献６】特開２００６−２１５２１３
【発明の開示】
【発明が解決しようとする課題】
【０００４】
従来の表示装置は、基本的に画面部と駆動部とで構成されている。画面部は、行状の走査線と、列状の信号線と、各走査線と各信号線とが交差する部分に配された行列状の画素とからなる。駆動部は画面部の周辺に配され、各走査線に順次制御信号を供給するスキャナと、各信号線に映像信号を供給するドライバとを有する。画面部の各画素は、対応する走査線から供給された制御信号に応じて選択されたとき、対応する信号線から映像信号を取り込み、且つ取り込んだ映像信号に応じて発光する。
【０００５】
各画素は発光素子として例えば有機ＥＬデバイスを含んでいる。この発光素子は経時的に電流／輝度特性が劣化する傾向がある。これにより、有機ＥＬディスプレイの画素は時間の経過と共に輝度が低下していくという課題がある。輝度劣化の程度は、各画素の累積発光時間に依存している。画面上で各画素の累積発光時間が異なる場合輝度のムラが生じ、いわゆる「焼き付き」という画質不良が生じる恐れがある。
【課題を解決するための手段】
【０００６】
上述した従来の技術の課題に鑑み、本発明は画素の輝度劣化を補償可能な表示装置を提供することを目的とする。係る目的を達成するために以下の手段を講じた。即ち本発明に係る表示装置は、画面部と、駆動部と、信号処理部とからなる。前記画面部は、行状の走査線と、列状の信号線と、各走査線と各信号線とが交差する部分に配された行列状の画素と、光センサーとを有するパネルからなる。前記駆動部は、各走査線に順次制御信号を供給するスキャナと、各信号線に映像信号を供給するドライバとを有する。前記画素は、該走査線から供給された制御信号に応じて選択されたとき、該信号線から映像信号を取り込み、且つ取り込んだ映像信号に応じて発光する。前記光センサーは、該画素の発光輝度を検出して対応する輝度信号を出力する。前記信号処理部は、該光センサーから出力された輝度信号に応じて映像信号を補正し且つ補正された映像信号を該駆動部のドライバに供給する。
【０００７】
好ましくは前記信号処理部は、該画面部に映像を表示する表示期間では通常の映像信号を供給し、映像を表示しない非表示期間に含まれる検出期間では、輝度検出用の映像信号を供給する。又前記信号処理部は、フレーム単位で前記検出用の映像信号を供給し、前記検出用の映像信号は、１フレームで検出対象となる画素のみを発光させ残りの画素は非発光状態にする。又前記信号処理部は、初期に該光センサーから出力された第１の輝度信号と、初期から所定時間経過後に該光センサーから出力された第２の輝度信号とを比較して発光輝度の低下分を求め、且つ求めた発光輝度の低下分を補償するように映像信号を補正して該駆動部のドライバに出力する。又前記光センサーは、該画面部に含まれる全画素の発光輝度を検出して該第２の輝度信号を出力するため、複数の非表示期間にわたって時分割的に発光輝度の検出を行う。又前記光センサーは、該画面部に映像を表示する表示期間で該画素から受光する量よりも、映像を表示しない非表示期間に含まれる検出期間で該画素から受光する量の方が多い。この場合前記信号処理部は、該表示期間では通常の映像信号を供給し、該検出期間では輝度検出用の映像信号を供給し、且つ通常の映像信号の最大レベルよりも輝度検出用の映像信号のレベルを大きくする。以って該表示期間で該光センサーが画素から受光する量よりも、該検出期間で該光センサーが該画素から受光する量の方が多くなる。或いは前記駆動部はフレーム毎に画面部の表示を更新し且つ一フレーム期間に画素が発光している期間の割合を示すデューティを調整して、該表示期間におけるデューティよりも該検出期間におけるデューティを大きくする。以って該表示期間で該光センサーが画素から受光する量よりも、該検出期間で該光センサーが該画素から受光する量の方が多くなる。
【発明の効果】
【０００８】
本発明によれば、信号処理部は、光センサーから出力された輝度信号に応じて映像信号を補正し且つ補正された映像信号を駆動部のドライバに供給している。係る構成により、画素の輝度劣化を映像信号の補正で補うことが可能なり、従来問題となっていた「焼き付き」などの画質不良を防ぐことができる。
【０００９】
特に本発明では、光センサーは各画素の発光輝度を検出して対応する輝度信号を出力している。個々の画素毎に発光輝度を検出しているため、画面上で局所的な輝度ムラが表れる場合などでも、画素単位で映像信号の補正を行うことにより、局所的な輝度ムラを修正できる。
【発明を実施するための最良の形態】
【００１０】
以下、本発明を実施するための最良の形態（以下実施形態とする）について説明する。なお説明は以下の順序で行う。
第一実施形態
第二実施形態
第三実施形態
第四実施形態
第五実施形態
第六実施形態
応用形態
【００１１】
〈第一実施形態〉
［パネルの全体構成］
図１は、本発明に係る表示装置の主要部となるパネルを示す全体構成図である。図示するように、本表示装置は、画素アレイ部１（画面部）とこれを駆動する駆動部とからなる。画素アレイ部１は、行状の走査線ＷＳと、列状の信号線（信号ライン）ＳＬと、両者が交差する部分に配された行列状の画素２と、各画素２の各行に対応して配された給電線（電源ライン）ＶＬとを備えている。なお本例は、各画素２にＲＧＢ三原色のいずれかが割り当てられており、カラー表示が可能である。但し本発明はこれに限られるものではなく、単色表示のデバイスも含む。駆動部は、各走査線ＷＳに順次制御信号を供給して画素２を行単位で線順次走査するライトスキャナ４と、この線順次走査に合わせて各給電線ＶＬに第１電位と第２電位で切換る電源電圧を供給する電源スキャナ６と、この線順次走査に合わせて列状の信号線ＳＬに映像信号となる信号電位と基準電位を供給する水平セレクタ（信号ドライバ）３とを備えている。
【００１２】
［画素の回路構成］
図２は、図１に示した表示装置に含まれる画素２の具体的な構成及び結線関係を示す回路図である。図示するように、この画素２は有機ＥＬデバイスなどで代表される発光素子ＥＬと、サンプリングトランジスタＴｒ１と、ドライブトランジスタＴｒｄと、画素容量Ｃｓとを含む。サンプリングトランジスタＴｒ１は、その制御端（ゲート）が対応する走査線ＷＳに接続し、一対の電流端（ソース及びドレイン）の片方が対応する信号線ＳＬに接続し、他方がドライブトランジスタＴｒｄの制御端（ゲートＧ）に接続する。ドライブトランジスタＴｒｄは、一対の電流端（ソースＳ及びドレイン）の一方が発光素子ＥＬに接続し、他方が対応する給電線ＶＬに接続している。本例では、ドライブトランジスタＴｒｄがＮチャネル型であり、そのドレインが給電線ＶＬに接続する一方、ソースＳが出力ノードとして発光素子ＥＬのアノードに接続している。発光素子ＥＬのカソードは所定のカソード電位Ｖｃａｔｈに接続している。画素容量ＣｓはドライブトランジスタＴｒｄの片方の電流端であるソースＳと制御端であるゲートＧの間に接続している。
【００１３】
かかる構成において、サンプリングトランジスタＴｒ１は走査線ＷＳから供給された制御信号に応じて導通し、信号線ＳＬから供給された信号電位をサンプリングして画素容量Ｃｓに保持する。ドライブトランジスタＴｒｄは、第１電位（高電位Ｖｄｄ）にある給電線ＶＬから電流の供給を受け画素容量Ｃｓに保持された信号電位に応じて駆動電流を発光素子ＥＬに流す。ライトスキャナ４は、信号線ＳＬが信号電位にある時間帯にサンプリングトランジスタＴｒ１を導通状態にするため、所定のパルス幅の制御信号を制御線ＷＳに出力し、以って画素容量Ｃｓに信号電位を保持すると同時にドライブトランジスタＴｒｄの移動度μに対する補正を信号電位に加える。この後ドライブトランジスタＴｒｄは画素容量Ｃｓに書き込まれた信号電位Ｖｓｉｇに応じた駆動電流を発光素子ＥＬに供給し、発光動作に入る。
【００１４】
本画素回路２は、上述した移動度補正機能に加え閾電圧補正機能も備えている。即ち電源スキャナ６は、サンプリングトランジスタＴｒ１が信号電位Ｖｓｉｇをサンプリングする前に、第１タイミングで給電線ＶＬを第１電位（高電位Ｖｄｄ）から第２電位（低電位Ｖｓｓ）に切換える。またライトスキャナ４は同じくサンプリングトランジスタＴｒ１が信号電位Ｖｓｉｇをサンプリングする前に、第２タイミングでサンプリングトランジスタＴｒ１を導通させて信号線ＳＬから基準電位ＶｒｅｆをドライブトランジスタＴｒｄのゲートＧに印加すると共にドライブトランジスタＴｒｄのソースＳを第２電位（Ｖｓｓ）にセットする。電源スキャナ６は第２タイミングの後の第３タイミングで給電線ＶＬを第２電位Ｖｓｓから第１電位Ｖｄｄに切換えて、ドライブトランジスタＴｒｄの閾電圧Ｖｔｈに相当する電圧を画素容量Ｃｓに保持する。かかる閾電圧補正機能により、本表示装置は画素毎にばらつくドライブトランジスタＴｒｄの閾電圧Ｖｔｈの影響をキャンセルすることができる。
【００１５】
本画素回路２は、さらにブートストラップ機能も備えている。即ちライトスキャナ４は画素容量Ｃｓに信号電位Ｖｓｉｇが保持された段階で走査線ＷＳに対する制御信号の印加を解除し、サンプリングトランジスタＴｒ１を非道通状態にしてドライブトランジスタＴｒｄのゲートＧを信号線ＳＬから電気的に切り離し、以ってドライブトランジスタＴｒｄのソースＳの電位変動にゲートＧの電位が連動し、ゲートＧとソースＳ間の電圧Ｖｇｓを一定に維持することができる。
【００１６】
［タイミングチャート１］
図３は、図２に示した画素回路２の動作説明に供するタイミングチャートである。時間軸を共通にして、走査線ＷＳの電位変化、給電線ＶＬの電位変化及び信号線ＳＬの電位変化を表している。またこれらの電位変化と並行に、ドライブトランジスタのゲートＧ及びソースＳの電位変化も表してある。
【００１７】
走査線ＷＳには、サンプリングトランジスタＴｒ１をオンするための制御信号パルスが印加される。この制御信号パルスは画素アレイ部の線順次走査に合わせて１フレーム（１ｆ）周期で走査線ＷＳに印加される。この制御信号パルスは一水平走査周期（１Ｈ）の間に二発のパルスを含んでいる。最初のパルスを第一パルスＰ１とし、後続のパルスを第二パルスＰ２と呼ぶ場合がある。給電線ＶＬは同じように１フレーム周期（１ｆ）で高電位Ｖｄｄと低電位Ｖｓｓとの間で切換る。信号線ＳＬには一水平走査周期（１Ｈ）内で信号電位Ｖｓｉｇと基準電位Ｖｒｅｆが切換る映像信号を供給している。
【００１８】
図３のタイミングチャートに示すように、画素は前のフレームの発光期間から当該フレームの非発光期間に入り、そのあと当該フレームの発光期間となる。この非発光期間で準備動作、閾電圧補正動作、信号書込動作、移動度補正動作などを行う。
【００１９】
前フレームの発光期間では、給電線ＶＬが高電位Ｖｄｄにあり、ドライブトランジスタＴｒｄが駆動電流Ｉｄｓを発光素子ＥＬに供給している。駆動電流Ｉｄｓは高電位Ｖｄｄにある給電線ＶＬからドライブトランジスタＴｒｄを介して発光素子ＥＬを通り、カソードラインに流れ込んでいる。
【００２０】
続いて当該フレームの非発光期間に入るとまずタイミングＴ１で給電線ＶＬを高電位Ｖｄｄから低電位Ｖｓｓに切換える。これにより給電線ＶＬはＶｓｓまで放電され、さらにドライブトランジスタＴｒｄのソースＳの電位はＶｓｓまで下降する。これにより発光素子ＥＬのアノード電位（即ちドライブトランジスタＴｒｄのソース電位）は逆バイアス状態となるため、駆動電流が流れなくなり消灯する。またドライブトランジスタのソースＳの電位降下に連動してゲートＧの電位も降下する。
【００２１】
続いてタイミングＴ２になると、走査線ＷＳを低レベルから高レベルに切換えることで、サンプリングトランジスタＴｒ１が導通状態になる。この時信号線ＳＬは基準電位Ｖｒｅｆにある。よってドライブトランジスタＴｒｄのゲートＧの電位は導通したサンプリングトランジスタＴｒ１を通じて信号線ＳＬの基準電位Ｖｒｅｆとなる。この時ドライブトランジスタＴｒｄのソースＳの電位はＶｒｅｆよりも十分低い電位Ｖｓｓにある。この様にしてドライブトランジスタＴｒｄのゲートＧとソースＳとの間の電圧ＶｇｓがドライブトランジスタＴｒｄの閾電圧Ｖｔｈより大きくなるように、初期化される。タイミングＴ１からタイミングＴ３までの期間Ｔ１‐Ｔ３はドライブトランジスタＴｒｄのゲートＧ／ソースＳ間電圧Ｖｇｓを予めＶｔｈ以上に設定する準備期間である。
【００２２】
この後タイミングＴ３になると、給電線ＶＬが低電位Ｖｓｓから高電位Ｖｄｄに遷移し、ドライブトランジスタＴｒｄのソースＳの電位が上昇を開始する。やがてドリライブトランジスタＴｒｄのゲートＧ／ソースＳ間電圧Ｖｇｓが閾電圧Ｖｔｈとなった所で電流がカットオフする。この様にしてドライブトランジスタＴｒｄの閾電圧Ｖｔｈに相当する電圧が画素容量Ｃｓに書き込まれる。これが閾電圧補正動作である。この時電流がもっぱら画素容量Ｃｓ側に流れ、発光素子ＥＬには流れないようにするため、発光素子ＥＬがカットオフとなるようにカソード電位Ｖｃａｔｈを設定しておく。
【００２３】
タイミングＴ４では走査線ＷＳがハイレベルからローレベルに戻る。換言すると、走査線ＷＳに印加された第一パルスＰ１が解除され、サンプリングトランジスタはオフ状態になる。以上の説明から明らかなように、第一パルスＰ１は閾電圧補正動作を行うために、サンプリングトランジスタＴｒ１のゲートに印加される。
【００２４】
この後信号線ＳＬが基準電位Ｖｒｅｆから信号電位Ｖｓｉｇに切り換る。続いてタイミングＴ５で走査線ＷＳが再びローレベルからハイレベルに立上る。換言すると第二パルスＰ２がサンプリングトランジスタＴｒ１のゲートに印加される。これによりサンプリングトランジスタＴｒ１は再びオンし、信号線ＳＬから信号電位Ｖｓｉｇをサンプリングする。よってドライブトランジスタＴｒｄのゲートＧの電位は信号電位Ｖｓｉｇになる。ここで発光素子ＥＬは始めカットオフ状態（ハイインピーダンス状態）にあるためドライブトランジスタＴｒｄのドレインとソースの間に流れる電流は専ら画素容量Ｃｓと発光素子ＥＬの等価容量に流れ込み充電を開始する。この後サンプリングトランジスタＴｒ１がオフするタイミングＴ６までに、ドライブトランジスタＴｒｄのソースＳの電位はΔＶだけ上昇する。この様にして映像信号の信号電位ＶｓｉｇがＶｔｈに足し込まれる形で画素容量Ｃｓに書き込まれる共に、移動度補正用の電圧ΔＶが画素容量Ｃｓに保持された電圧から差し引かれる。よってタイミングＴ５からタイミングＴ６まで期間Ｔ５‐Ｔ６が信号書込期間＆移動度補正期間となる。換言すると、走査線ＷＳに第二パルスＰ２が印加されると、信号書込動作及び移動度補正動作が行われる。信号書込期間＆移動度補正期間Ｔ５‐Ｔ６は、第二パルスＰ２のパルス幅に等しい。即ち第二パルスＰ２のパルス幅が移動度補正期間を規定している。
【００２５】
この様に信号書込期間Ｔ５‐Ｔ６では信号電位Ｖｓｉｇの書込みと補正量ΔＶの調整が同時に行われる。Ｖｓｉｇが高いほどドライブトランジスタＴｒｄが供給する電流Ｉｄｓは大きくなり、ΔＶの絶対値も大きくなる。従って発光輝度レベルに応じた移動度補正が行われる。Ｖｓｉｇを一定とした場合、ドライブトランジスタＴｒｄの移動度μが大きいほどΔＶの絶対値が大きくなる。換言すると移動度μが大きいほど画素容量Ｃｓに対する負帰還量ΔＶが大きくなるので、画素毎の移動度μのばらつきを取り除くことができる。
【００２６】
最後にタイミングＴ６になると、前述したように走査線ＷＳが低レベル側に遷移し、サンプリングトランジスタＴｒ１はオフ状態となる。これによりドライブトランジスタＴｒｄのゲートＧは信号線ＳＬから切り離される。このときドレイン電流Ｉｄｓが発光素子ＥＬを流れ始める。これにより発光素子ＥＬのアノード電位は駆動電流Ｉｄｓに応じて上昇する。発光素子ＥＬのアノード電位の上昇は、即ちドライブトランジスタＴｒｄのソースＳの電位上昇に他ならない。ドライブトランジスタＴｒｄのソースＳの電位が上昇すると、画素容量Ｃｓのブートストラップ動作によりドライブトランジスタＴｒｄのゲートＧの電位も連動して上昇する。ゲート電位の上昇量はソース電位の上昇量に等しくなる。ゆえに発光期間中ドライブトランジスタＴｒｄのゲートＧ／ソースＳ間の入力電圧Ｖｇｓは一定に保持される。このゲート電圧Ｖｇｓの値は信号電位Ｖｓｉｇに閾電圧Ｖｔｈ及び移動量μの補正をかけたものとなっている。ドライブトランジスタＴｒｄは飽和領域で動作する。即ちドライブトランジスタＴｒｄは、ゲートＧ／ソースＳ間の入力電圧Ｖｇｓに応じた駆動電流Ｉｄｓを出力する。このゲート電圧Ｖｇｓの値は信号電位Ｖｓｉｇに閾電圧Ｖｔｈ及び移動量μの補正をかけたものとなっている。
【００２７】
［タイミングチャート２］
図4は、図２に示した画素回路２の動作説明に供する他のタイミングチャートである。基本的には図２に示したタイミングチャートと同様であり、対応する部分には対応する参照番号を付してある。異なる点は、閾電圧補正動作を複数の水平期間に渡って時分割的に繰り返し行っていることである。図４のタイミングチャートの例では、１Ｈ期間毎のＶｔｈ補正動作を２回行っている。画面部が高精細化すると、画素数が増えこれに伴って走査線数も増加する。走査線本数の増加により１Ｈ期間が短くなる。このように線順次走査が高速化すると、１Ｈ期間ではＶｔｈ補正動作が完了しない場合がある。そこで図４のタイミングチャートでは、閾電圧補正動作を時分割的に２回行って、ドライブトランジスタＴｒｄのゲートＧとソースＳとの間の電位Ｖｇｓが確実にＶｔｈまで初期化できるようにしている。なお、Ｖｔｈ補正の繰り返し回数は２回に限られるものではなく、必要に応じ時分割数を増やすことができる。
【００２８】
［表示装置の全体構成］
図５は、本発明に係る表示装置の全体構成を示す模式的なブロック図である。図示するように、本表示装置は、基本的に画面部１と、駆動部と、信号処理部１０とからなる。画面部（画素アレイ部）１は、行状の走査線と、列状の信号線と、各走査線と各信号線とが交差する部分に配された行列状の画素と、光センサー８とを有するパネル０からなる。駆動部は、各走査線に順次制御信号を供給するスキャナと、各信号線に映像信号を供給するドライバとを有する。本実施形態ではスキャナやドライバは、画面部１を囲むようにパネル０上に搭載されている。
【００２９】
画面部１に含まれる個々の画素は、対応する走査線から供給された制御信号に応じて選択されたとき、対応する信号線から映像信号を取り込み、且つ取り込んだ映像信号に応じて発光する。光センサー８は、各画素の発光輝度を検出して対応する輝度信号Ａを出力する。なお本実施形態では、光センサー８はパネル０の表面側に搭載されている。
【００３０】
信号処理部（ＤＳＰ）１０は、光センサー８から出力された輝度信号に応じて映像信号を補正し、且つ補正された映像信号を駆動部のドライバに供給する。本実施形態では、光センサー８と信号処理部１０との間にＡＤコンバータ（ＡＤＣ）９が挿入されている。このＡＤＣ９は、光センサー８から出力されたアナログの輝度信号Ａをデジタルの輝度信号（輝度データ）に変換して、デジタル信号処理部（ＤＳＰ）１０に供給している。
【００３１】
本発明によれば信号処理部１０は、光センサー８から出力された輝度信号Ａに応じて映像信号を補正し且つ補正された映像信号Ｂを駆動部のドライバに供給している。これにより、パネル0は輝度ムラが補正された画像Ｃを表示できる。かかる構成により、画素の輝度劣化を映像信号の補正で補うことが可能なり、従来問題となっていた「焼き付き」などの画質不良を防ぐことができる。特に本発明では、光センサー８は各画素の発光輝度を検出して対応する輝度信号を出力している。個々の画素毎に発光輝度を検出しているため、画面上で局所的な輝度ムラが表れる場合などでも、画素単位で映像信号の補正を行うことにより、局所的な輝度ムラを修正できる。
【００３２】
信号処理部１０は、画面部１に映像表示する表示期間では通常の映像信号をドライバに供給し、映像表示しない非表示期間に含まれる検出期間では、輝度検出用の映像信号をドライバに供給する。信号処理部１０は、フレーム単位（もしくはフィールド単位）で検出用の映像信号を供給する。検出用の映像信号は、１フレーム（又は１フィールド）で検出対象となる画素のみを発光させ残りの画素は非発光状態にする。信号処理部１０は、初期（例えば製品の工場出荷時）に光センサー８から出力された第一の輝度信号と、初期から所定時間経過後に光センサー８から出力された第二の輝度信号とを比較して画素毎に発光輝度の低下分を求め、且つ求めた発光輝度の低下分を補償するように映像信号を補正して駆動部のドライバに出力する。
【００３３】
以上の説明から明らかなように、本発明ではパネル０に光センサー８を設ける。この光センサー８を用いて、個々の画素の輝度劣化を測定し、その劣化度合いに合わせて映像信号のレベルを調整する。これにより「焼き付き」を修正した画像を画面部１に表示することができる。図５では、焼き付きの生じた表示パターンＡと、焼き付き補正後の映像信号のパターンＢと、焼き付き補正後の表示パターンＣとが模式的に表されている。パターンＡとパターンＢのムラがキャンセルしあってムラの無いパターンＣが得られる。
【００３４】
［焼き付き現象］
図６は、本発明が処理対象とする「焼き付き」を説明する模式図である。（Ａ１）は、焼き付きの原因となるパターン表示を表している。画面部１に例えば図示のようなウィンドウを表示する。白抜きのウィンドウの部分の画素は高輝度で発光を持続する一方、周辺の黒枠部分の画素は非発光状態に置かれる。このウィンドウパターンが長時間に亘って表示されると、白抜き部分の画素の輝度劣化が進行する一方、黒枠部分の画素の輝度劣化は相対的に進行が遅い。
【００３５】
（Ａ２）は、（Ａ１）に示したウィンドウパターン表示を消去して、画面部１に全面ベタのラスター表示を行った状態を表している。局所的な輝度劣化がなければ、画面部１にラスター表示を行うと全面均一な輝度分布が得られるはずである。しかし実際には前に白抜き表示した中央部分の画素の輝度劣化が進行しているため、中央部分の輝度が周辺部分の輝度に比べて低くなってしまい、図示のように「焼き付き」となって表れる。
【００３６】
［発光輝度の検出動作］
図７は、画素輝度の検出動作を示す模式図である。図示するように、本実施形態では点順次方式で個々の画素の発光輝度検出を行っている。点順次動作の進行方向は、画面部１において、左上の画素から右下の画素までラスター方式で行う。なお図示を簡略化するため、画面部１は５行５列２５個の画素２で構成している。実際の表示装置は例えば数百万個の画素を含んでいる。
【００３７】
最初のフレーム１で画面部１の左上に位置する画素２を発光させる一方、画面部１に属する残りの画素２は全て非発光状態にする。これにより光センサーは、画面部１の左上隅に位置する画素２の発光輝度を検出できる。
【００３８】
次のフレーム２に進むと、左上から２番目の画素２のみが発光し、その輝度を検出する。以下順に進行し、フレーム５では右上隅に位置する画素２の発光輝度が検出できる。続いてフレーム６では２行目の画素の発光輝度検出が行われ、フレーム７から順にフレーム１０に進む。フレーム１０では上から２行目で右端に位置する画素２の発光輝度が検出できる。このようにしてフレーム１からフレーム２５で、画面部１を構成する２５個の画素２の発光輝度を点順次で検出可能である。例えばフレーム周波数を３０Ｈｚとすると、約１秒弱で全ての画素２の発光輝度を検出できる。
【００３９】
以上の説明から明らかなように、本発明では１画素ずつ点順次に発光させている。なおカラー表示装置の場合、１画素に含まれる発光素子はＲＧＢいずれかの光を発光する。この場合、個々の色の画素（サブピクセル）毎に発光輝度の検出を行うことが望ましい。場合によっては、ＲＧＢ３色のサブピクセルを合わせたピクセル毎に発光輝度検出を行うこともできる。点順次検出における個々の画素の発光制御は、パネル０に入力する映像信号にて行い、画素の動作タイミングは通常の画像表示時と同様にする。すなわち信号処理部は、フレーム単位で検出用の映像信号を供給する。この検出用の映像信号は、１フレームで検出対象となる画素のみを発光させ残りの画素は非発光の状態にするものである。このような点順次走査により、１つの光センサーにて複数の画素の輝度データを順番に得ることができる。
【００４０】
［焼き付き補正処理］
図８は、図６に示した「焼き付き」の補正動作を示す模式図である。（Ｏ）は本表示装置の信号処理部に外部から入力される映像信号を表している。図示の例では、全面ベタの映像信号である。
【００４１】
（Ａ）は、もともと図６に示したような「焼き付き」が生じている画面部に、（Ｏ）で示した映像信号を表示した場合の輝度分布を表している。全面ベタの映像信号を入力しても、パネルの画面部に局所的な焼き付きがあるので、中央の窓の部分の輝度が周辺の枠の部分に比べて暗くなっている。
【００４２】
（Ｂ）は外部から入力した映像信号（Ｏ）を各画素の発光輝度の検出結果に従って補正した映像信号を表している。（Ｂ）に示した焼き付け補正後の映像信号は、中央の窓部の画素に書き込まれる映像信号のレベルが相対的に高く補正され、周辺の枠の部分の画素に書き込まれる映像信号のレベルは相対的に低く補正されている。このように（Ａ）で示した焼き付きによる負の輝度分布をキャンセルするように、（Ｂ）で示した正の輝度分布を有する映像信号となるように補正する。
【００４３】
（Ｃ）は、焼き付き補正後の映像信号を画面部に表示した状態を模式的に表している。パネルの画面部に残された焼き付きによる不均衡な輝度分布は、焼き付き補正用の映像信号によって補償され、均一な輝度分布の画面が得られる。
【００４４】
初めに、パネル出荷前に１画素ずつ点灯させ、各画素の輝度データを取得する。ここで用いる信号電圧は各画素にて同一の電圧を用いる。ただし、サブ画素毎に点灯させる場合はＲＧＢ各色にて信号電圧が異なっても構わない。また、この時はドライブトランジスタの電流バラツキをなくすために、画素回路はＶｔｈ補正や移動度補正をかけた状態が望ましい。
【００４５】
ある画素を発光させ、その輝度を光センサーにて受光し、得られた輝度信号を電圧データに変換する。その後信号増幅を行い、アナログデジタル変換を行い、メモリーにそのデータを記憶させる。この一連の動作を全画素に対して行う。その後パネル出荷後など、パネルを発光させある程度の時間が経過した段階で、上記同様の動作を行い、焼き付き後の画素輝度データを取得する。この時入力する信号電圧は、初期にて用いた値と同値の信号を入力する。また、画素駆動動作も初期と同様の動作にて行う。これにより、発光素子の輝度効率の劣化を正確に測定することができる。ここで、初期と同様の一定信号を用いるために、経過時間後の補正は、パネルに映像信号が入ってきていない時間帯を用いる。例えば、モニターとして動作していない時間帯である。ノートパソコンや携帯電話ではカバーを閉じた時間でも良い。
【００４６】
この様にして得られた、初期と時間経過後の画素輝度データと比較し、電流の劣化量を算出する。この電流劣化データをもとに、入力された映像信号に対して、各画素の焼付きを補正する処理を施し、補正をかけた信号電圧をパネルに入力する。その結果、図８に示すように焼きつきの無い高ユニフォーミティの画像を得る事ができる。以上により、画素ごとの輝度劣化を検出し、信号データに補正をかけることで焼きつきのない画面を得る事ができる。これにより自発光パネルの課題であった焼付きを対策できる。本発明により、有機ＥＬパネルにおいて、パネルシステムに光センサーを設け、画素毎に発光させ、画素の輝度を測定する。この測定を出荷前とその後一定の発光時間が経過した段階にて行い、互いのデータを比較することで、画素毎の輝度劣化量を求める。この輝度劣化量をもとに入力映像データに対して焼き付き補正を行い、パネルに入力する。以上により、ＥＬ発光素子の輝度効率劣化を補正でき、焼きつきを補正した高画質なパネルを得ることができる。
【００４７】
〈第二実施形態〉
［表示装置の全体構成］
図９は、本発明に係る表示装置の第二実施形態の全体構成を示す模式的なブロック図である。図示するように、本表示装置は、基本的に画面部１と、駆動部と、信号処理部１０とからなる。画面部（画素アレイ部）１は、行状の走査線と、列状の信号線と、各走査線と各信号線とが交差する部分に配された行列状の画素と、光センサー８とを有するパネル０からなる。駆動部は、各走査線に順次制御信号を供給するスキャナと、各信号線に映像信号を供給するドライバとを有する。本実施形態ではスキャナやドライバは、画面部１を囲むようにパネル０上に搭載されている。
【００４８】
画面部１に含まれる個々の画素は、対応する走査線から供給された制御信号に応じて選択されたとき、対応する信号線から映像信号を取り込み、且つ取り込んだ映像信号に応じて発光する。光センサー８は、各画素の発光輝度を検出して対応する輝度信号を出力する。本実施形態では、光センサー８はパネル０の裏面側（発光面とは反対側）に搭載されている。
【００４９】
信号処理部（ＤＳＰ）１０は、光センサー８から出力された輝度信号に応じて映像信号を補正し、且つ補正された映像信号を駆動部のドライバに供給する。本実施形態では、光センサー８と信号処理部１０との間にＡＤコンバータ（ＡＤＣ）９が挿入されている。このＡＤＣ９は、光センサー８から出力されたアナログの輝度信号をデジタルの輝度信号（輝度データ）に変換して、デジタル信号処理部（ＤＳＰ）１０に供給している。
【００５０】
本実施形態の特徴事項として、パネル０は、画面部（画素アレイ部）１が複数の領域に区画されており、各領域に対応して光センサー８が配されている。各光センサー８は、対応する領域に属する画素の発光輝度を検出して対応する輝度信号を信号処理部１０に供給する。好ましくは光センサー８は、対応する領域の中心に配されている。複数の画素当たり１つの光センサー８を配置している。
【００５１】
［パネルの断面構造］
図１０は、図９に示したパネルの断面構造を示す。パネル０は、下側のガラス基板１０１と上側のガラス基板１０８を重ねた構成となっている。ガラス基板１０１の上にＴＦＴプロセスで集積回路１０２が形成されている。この集積回路１０２は、図２に示した画素回路の集合である。この集積回路１０２の上には、発光素子ＥＬのアノード１０３が画素毎に分かれて形成されている。また個々のアノード１０３を集積回路１０２側に接続するための配線１０６も形成されている。アノード１０３の上に有機ＥＬ材料などからなる発光層１０４が形成されている。その上にカソード１０５が全面的に形成されている。カソード１０５とアノード１０３と両者の間に保持された発光層１０４とで発光素子を形成している。カソード１０５の上には封止層１０７を介してガラス基板１０８が接合している。
【００５２】
有機ＥＬ発光素子は、自発光のデバイスである。その発光方向はパネル０の表面方向（上側のガラス基板１０８の方向）が大部分である。しかしながら実際には、図示するように斜めに発光する成分や、パネル０の内部にて反射散乱を繰り返し、パネル０の裏側（下側ガラス基板１０１の方向）に抜ける光もある。図９に示した例では、パネル０の裏面に光センサーが搭載されており、発光素子からパネル０の裏面側に抜ける発光を検出している。この場合、光センサー直上の画素の発光ばかりではく、直上からずれた周辺の画素の発光輝度も測定できる。
【００５３】
〈第三実施形態〉
［タイミングチャート１］
図１１は、本発明にかかる表示装置の第三実施形態の動作説明に供するタイミングチャートである。時間軸を共通にして、走査線ＷＳの電位変化、給電線ＶＬの電位変化及び信号線ＳＬの電位変化を表している。またこれらの電位変化と並行に、ドライブトランジスタのゲートＧ及びソースＳの電位変化も表してある。基本的には図３に示した第一実施形態のタイミングチャートと同様である。本タイミングチャートは、画面部に映像を表示する表示期間における動作を表している。表示期間では通常の映像信号を供給する。
【００５４】
走査線ＷＳには、サンプリングトランジスタＴｒ１をオンするための制御信号パルスが印加される。この制御信号パルスは画素アレイ部の線順次走査に合わせて１フレーム（１ｆ）周期で走査線ＷＳに印加される。この制御信号パルスは一水平走査周期（１Ｈ）の間に二発のパルスを含んでいる。最初のパルスを第一パルスＰ１とし、後続のパルスを第二パルスＰ２と呼ぶ場合がある。給電線ＶＬは同じように１フレーム周期（１ｆ）で高電位Ｖｄｄと低電位Ｖｓｓとの間で切換る。信号線ＳＬには一水平走査周期（１Ｈ）内で信号電位Ｖｓｉｇと基準電位Ｖｒｅｆが切換る通常の映像信号を供給している。
【００５５】
図１１のタイミングチャートに示すように、画素は前のフレームの発光期間から当該フレームの非発光期間に入り、そのあと当該フレームの発光期間となる。この非発光期間で準備動作、閾電圧補正動作、信号書込動作、移動度補正動作などを行う。
【００５６】
［タイミングチャート２］
図１２も、図１１に示したタイミングチャートと同様に第三実施形態の動作を表している。異なる点は、本タイミングチャートが映像を表示しない非表示期間に含まれる検出期間における動作を表していることである。検出期間では、通常の映像信号に代えて輝度検出用の映像信号を供給する。そのほかの動作は通常の表示期間と同様である。
【００５７】
走査線ＷＳには、サンプリングトランジスタＴｒ１をオンするための制御信号パルスが印加される。この制御信号パルスは画素アレイ部の線順次走査に合わせて１フレーム（１ｆ）周期で走査線ＷＳに印加される。この制御信号パルスは一水平走査周期（１Ｈ）の間に二発のパルスＰ１，Ｐ２を含んでいる。給電線ＶＬは同じように１フレーム周期（１ｆ）で高電位Ｖｄｄと低電位Ｖｓｓとの間で切換る。信号線ＳＬには一水平走査周期（１Ｈ）内で信号電位Ｖｓｉｇと基準電位Ｖｒｅｆが切換る検出用の映像信号を供給している。
【００５８】
図１２のタイミングチャートに示すように、画素は前のフレームの発光期間から当該フレームの非発光期間に入り、そのあと当該フレームの発光期間となる。この非発光期間で準備動作、閾電圧補正動作、信号書込動作、移動度補正動作などを行う。
【００５９】
本発明の第三実施形態は、画面部に映像を表示する表示期間で画素から受光する量よりも、映像を表示しない非表示期間に含まれる検出期間で画素から受光する量の方が多い。これにより受光時間を削減することができ、焼き付き補正システムの時間短縮化が可能となる。具体的には図１１と図１２のタイミングチャートを比較すれば明らかなように、信号処理部は表示期間では通常の映像信号を供給し、検出期間では輝度検出用の映像信号を供給している。そして通常の映像信号の最大レベルよりも輝度検出用の映像信号のレベルを大きくしている。以って表示期間で該光センサーが画素から受光する量よりも、検出期間で該光センサーが該画素から受光する量の方が多くなる。
【００６０】
また駆動部はフレーム毎に画面部の表示を更新し且つ一フレーム期間に画素が発光している期間の割合を示すデューティを調整して、表示期間におけるデューティよりも検出期間におけるデューティを大きくしている。以って表示期間で光センサーが画素から受光する量よりも、検出期間で光センサーが画素から受光する量の方が多くなる。デューティは、フレーム期間における発光時間と非発光時間の割合を表している。デューティが大きくなるほど発光時間の割合が高くなる。
【００６１】
本補正システムでは、出荷時に画素毎の輝度を光センサーを用いて測定し、その輝度データを出力し、デジタルデータに変換などしてメモリーに保存しておく。その後、所定の後時間経過後に同様にして測定した輝度データを出力する。これらの輝度データを初期値と比較し、輝度低下量を算出する。比較によって得られた輝度低下データを元に画素毎の信号電圧を調整して焼きつきを補正する。この補正動作において、受光動作にかかる時間が補正システム全体にかかる時間の殆どを占めてしまう。特に、パネル裏面の光センサーを用いて焼き付き補正する場合、裏面のパネル漏光輝度は、表面に比べて１／１００程度に低下してしまう。その為、裏面受光での焼き付き補正は非常に長い時間を必要とする。
【００６２】
本発明の通常発光時のタイミング図１１に示すように、通常発光時の信号電圧やデューティは輝度の最大限の値を用いていない。例えば信号電圧に関しては、ドライバの許容範囲内からマージンをもった値を用いている。またデューティに関しても、長デューティでは動画表示特性が悪化してしまうため、最大デューティではなく、それ以下のデューティを用いて通常の発光を行っている。
【００６３】
一方、受光動作時のタイミング図１２に示ように、受光動作時はなるべく最大限の輝度を得るようにしている。その為、本発明では通常発光に比べて、信号電圧を上昇させ、発光デューティも長く設定する事で、通常駆動以上の輝度を得ている。これにより、高輝度にて画素焼き付き情報をモニターでき、焼き付き補正システム全体の時間を短縮できる。
【００６４】
〈第四実施形態〉
［動作シーケンス］
図１３は、本発明にかかる表示装置の第四実施形態の動作シーケンスを表している。信号処理部は、画面部に映像を表示する表示期間では通常の映像信号を供給し、映像を表示しない非表示期間に含まれる検出期間では、輝度検出用の映像信号を供給する。光センサーは、画面部に含まれる全画素の発光輝度を検出して輝度信号を出力するため、複数の非表示期間にわたって時分割的に発光輝度の検出を行う。図示の例では、画面がエリア１−エリア６まで六分割されている。最初の非表示期間ではエリア１及び４に属する画素の発光輝度検出を行う。次の非表示期間ではエリア２及び５に属する画素の発光輝度検出を行う。更に次の非表示期間ではエリア３及び６に属する画素の発光輝度検出を行う。このようにして、複数の非表示期間にわたって時分割的に発光輝度の検出を行う。
【００６５】
焼き付き補正は、パネル発光後ある程度の時間が経過した段階で行う。初期と同様の一定信号を用いるために、経過時間後の補正は、パネルに映像信号が入ってきていない時間帯を用いる。例えば、モニターとして動作していない時間帯である。ノートパソコンや携帯電話ではカバーを閉じた時間でも良い。本発明の焼き付き補正のタイミングは、映像信号が入っていない時間帯に行えばよい。図１３に示すように異なる非映像入力期間にまたいでも構わない。その結果、本実施形態は先の実施形態と比べて補正回数自体が減少する。しかしながら、パネルの電流劣化は例えば１０時間程度では1％も劣化せず、非映像入力期間時全てに焼き付き補正を行う必要は無い。その為、電源オフなどの非映像入力期間は一般的に１０時間に一回は生じるので、上記のように異なる非映像入力期間に分割して補正を行っても問題はない。
【００６６】
〈第五実施形態〉
［パネルの構成］
図１４は本発明に係る表示装置の第五実施形態のパネル構成を示すブロック図である。理解を容易にするため、図１に示した第一実施形態のパネルブロック図と同様の表記を採用している。本表示装置は基本的に画素アレイ部（画面部）１とこれを駆動する駆動部とで構成されている。画素アレイ部１は行状の第１走査線ＷＳと、同じく行状の第２走査線ＤＳと、列状の信号線ＳＬと、各第１走査線ＷＳと各信号線ＳＬとが交差する部分に配された行列状の画素２とを備えている。これに対し駆動部は、ライトスキャナ４、ドライブスキャナ５及び水平セレクタ３を含んでいる。ライトスキャナ４は各第１走査線ＷＳに制御信号を出力して画素２を行単位で線順次走査する。ドライブスキャナ５も各第２走査線ＤＳにそれぞれ制御信号を出力して画素２を行単位で線順次走査する。但しライトスキャナ４とドライブスキャナ５は制御信号を出力するタイミングが異なっている。このドライブスキャナ５は第一実施形態で使われた電源スキャナ６に代えて駆動部に配されている。電源スキャナを廃したことで給電線も画素アレイ部１から除かれている。その代わり、図示しないが画素アレイ部１には一定の電源電位Ｖｄｄを供給する電源ラインが配されている。一方水平セレクタ（信号ドライバ）３は、スキャナ４，５側の線順次走査に合わせて、列状の信号線ＳＬに映像信号の信号電位と基準電位とを供給する。
【００６７】
［画素回路の構成］
図１５は図１４に示した第五実施形態の表示パネルに含まる画素回路の構成を示している。第一実施形態の画素回路が２個のトランジスタで構成されているのに対し、本実施形態の画素は３個のトランジスタで構成されている。図示するように本画素２は、基本的に発光素子ＥＬと、サンプリングトランジスタＴｒ１と、ドライブトランジスタＴｒｄと、スイッチングトランジスタＴｒ３と、画素容量Ｃｓとを含む。サンプリングトランジスタＴｒ１は、その制御端（ゲート）が走査線ＷＳに接続し、一対の電流端（ソース及びドレイン）の一方が信号線ＳＬに接続し、他方がドライブトランジスタＴｒｄの制御端（ゲートＧ）に接続している。ドライブトランジスタＴｒｄは、一対の電流端（ソース及びドレイン）の一方（ドレイン）が電源ラインＶｄｄに接続し、他方（ソースＳ）が発光素子ＥＬのアノードに接続している。発光素子ＥＬのカソードは所定のカソード電位Ｖｃａｔｈに接続している。スイッチングトランジスタＴｒ３は、その制御端（ゲート）が走査線ＤＳに接続し、一対の電流端（ソース及びドレイン）の一方が固定電位Ｖｓｓに接続し、他方がドライブトランジスタＴｒｄのソースＳに接続している。画素容量Ｃｓは、その一端がドライブトランジスタＴｒｄの制御端（ゲートＧ）に接続し、その他端がドライブトランジスタＴｒｄの他方の電流端（ソースＳ）に接続している。このドライブトランジスタＴｒｄの他方の電流端は、発光素子ＥＬ及び画素容量Ｃｓに対する出力電流端となっている。なお本画素回路２は、画素容量Ｃｓを補助する目的で、補助容量ＣｓｕｂがドライブトランジスタＴｒｄのソースＳと電源Ｖｄｄとの間に接続されている。
【００６８】
かかる構成において、駆動部側のライトスキャナ４は第１走査線ＷＳにサンプリングトランジスタＴｒ１を開閉制御するための制御信号を供給する。ドライブスキャナ５は第２走査線ＤＳにスイッチングトランジスタＴｒ３を開閉制御するための制御信号を出力する。水平セレクタ３は信号線ＳＬに信号電位Ｖｓｉｇと基準電位Ｖｒｅｆとの間で切換る映像信号（入力信号）を供給する。この様に走査線ＷＳ，ＤＳ及び信号線ＳＬの電位が線順次走査に合わせて変動するが、電源ラインはＶｄｄに固定されている。またカソード電位Ｖｃａｔｈ及び固定電位Ｖｓｓも一定である。
【００６９】
［画素回路の動作］
図１６は、図１５に示した画素回路の動作説明に供するタイミングチャートである。図示するように本タイミングチャートは、走査線ＷＳ、走査線ＤＳ及び信号線ＳＬの電位変化を時間軸を揃えて示している。サンプリングトランジスタＴｒ１はＮチャネル型であり、走査線ＷＳがハイレベルになったときオンする。スイッチングトランジスタＴｒ３もＮチャネル型であり、走査線ＤＳがハイレベルになったときオンする。一方信号線ＳＬに供給された映像信号は、１水平周期（１Ｈ）で信号電位Ｖｓｉｇと基準電位Ｖｒｅｆとの間で切換る。このタイミングチャートは、第１走査線ＷＳ、第２走査線ＤＳ及び信号線ＳＬの電位変化と時間軸を合わせて、ドライブトランジスタＴｒｄのゲートＧ及びソースＳの電位変化を表している。ゲートＧとソースＳの間の電位差Ｖｇｓに従って、ドライブトランジスタＴｒｄの動作状態を制御している。
【００７０】
まず最初に前フレームの発光期間から当該フレームの非発光期間に移ると、タイミングＴ１で走査線ＤＳがハイレベルに切換り、スイッチングトランジスタＴｒ３がオンする。これによりドライブトランジスタＴｒｄのソースＳの電位が固定電位Ｖｓｓにセットされる。この時固定電位Ｖｓｓは発光素子ＥＬの閾電圧Ｖｔｈｅｌとカソード電位Ｖｃａｔｈの和よりも小さく設定されている。即ちＶｓｓ＜Ｖｔｈｅｌ＋Ｖｃａｔｈに設定されており、発光素子ＥＬは逆バイアス状態に置かれるので駆動電流Ｉｄｓは発光素子ＥＬには流れ込まない。しかしながらドライブトランジスタＴｒｄから供給された出力電流ＩｄｓはソースＳを通って固定電位Ｖｓｓに流れる。
【００７１】
続いてタイミングＴ２になると、信号線ＳＬの電位がＶｒｅｆにある状態で、サンプリングトランジスタＴｒｄをオンする。これによりドライブトランジスタＴｒｄのゲートＧを基準電位Ｖｒｅｆに設定する。これによりドライブトランジスタＴｒｄのゲートＧ／ソースＳ間電圧ＶｇｓはＶｒｅｆ−Ｖｓｓという値をとる。ここでＶｇｓ＝Ｖｒｅｆ−Ｖｓｓ＞Ｖｔｈに設定されている。このＶｒｅｆ−ＶｓｓがドライブトランジスタＴｒｄの閾電圧Ｖｔｈよりも大きくないと後続の閾電圧補正動作を正常に行うことが出来ない。但しＶｇｓ＝Ｖｒｅｆ−Ｖｓｓ＞Ｖｔｈであるため、ドライブトランジスタＴｒｄはオン状態であり、ドレイン電流が電源電位Ｖｄｄから固定電位Ｖｓｓに向かって流れる。
【００７２】
この後タイミングＴ３なると閾電圧補正期間に入り、スイッチングトランジスタＴｒ３をオフしてドライブトランジスタＴｒｄのソースＳを固定電位Ｖｓｓから切り離す。ここでソースＳの電位（即ち発光素子のアノード電位）がカソード電位Ｖｃａｔｈに発光素子ＥＬの閾電圧Ｖｔｈｅｌを足した値よりも低い限り、発光素子ＥＬは依然として逆バイアス状態に置かれ、わずかなリーク電流が流れるに過ぎない。よって電源ラインＶｄｄからドライブトランジスタＴｒｄを通って供給された電流は、ほとんど画素容量Ｃｓと補助容量Ｃｓｕｂを充電するために使われる。この様に画素容量Ｃｓが充電されるため、ドライブトランジスタＴｒｄのソース電位は時間の経過と共にＶｓｓから上昇していく。一定期間後ドライブトランジスタＴｒｄのソース電位はＶｒｅｆ−Ｖｔｈのレベルに達し、Ｖｇｓが丁度Ｖｔｈになる。この時点でドライブトランジスタＴｒｄがカットオフし、Ｖｔｈに相当する電圧がドライブトランジスタＴｒｄのソースＳとゲートＧとの間に配されている画素容量Ｃｓに書き込まれる。閾電圧補正動作が完了した時点でも、ソース電圧Ｖｒｅｆ−Ｖｔｈはカソード電位Ｖｃａｔｈに発光素子の閾電圧Ｖｔｈｅｌを足した値よりも低くなっている。
【００７３】
続いてタイミングＴ４で書き込み期間／移動度補正期間に進む。タイミングＴ４では信号線ＳＬを基準電位Ｖｒｅｆから信号電位Ｖｓｉｇに切換える。信号電位Ｖｓｉｇは階調に応じた電圧となっている。この時点でサンプリングトランジスタＴｒ１はオンしているため、ドライブトランジスタＴｒｄのゲートＧの電位はＶｓｉｇとなる。これによりドライブトランジスタＴｒｄがオンし、電源ラインＶｄｄから電流が流れるため、ソースＳの電位が時間と共に上昇していく。この時点で依然としてソースＳの電位が発光素子ＥＬの閾電圧Ｖｔｈｅｌとカソード電圧Ｖｃａｔｈの和を超えていないので、発光素子ＥＬにはわずかなリーク電流が流れるだけであり、ドライブトランジスタＴｒｄから供給された電流はそのほとんどが画素容量Ｃｓと補助容量Ｃｓｕｂの充電に使われる。この充電過程で前述したようにソースＳの電位が上昇していく。
【００７４】
この書き込み期間では既にドライブトランジスタＴｒｄの閾電圧補正動作は完了しているため、ドライブトランジスタＴｒｄが供給する電流はその移動度μを反映したものとなる。具体的に言うとドライブトランジスタＴｒｄの移動度μが大きい場合、ドライブトランジスタＴｒｄが供給する電流量が大きくなり、ソースＳの電位上昇も速い。逆に移動度μが小さいときドライブトランジスタＴｒｄの電流供給量は小さく、ソースＳの電位上昇は遅くなる。この様にドライブトランジスタＴｒｄの出力電流を画素容量Ｃｓに負帰還することで、ドライブトランジスタＴｒｄのゲートＧ／ソースＳ間電圧Ｖｇｓは移動度μを反映した値となり、一定時間経過後には完全に移動度μを補正したＶｇｓの値となる。即ちこの書き込み期間ではドライブトランジスタＴｒｄから流れ出た電流を画素容量Ｃｓに負帰還することで、ドライブトランジスタＴｒｄの移動度μの補正も同時に行っている。
【００７５】
最後にタイミングＴ５で当該フレームの発光期間に入ると、サンプリングトランジスタＴｒ１がオフし、ドライブトランジスタＴｒｄのゲートＧが信号線ＳＬから切り離される。これによりゲートＧの電位の上昇が可能となり、画素容量Ｃｓに保持されたＶｇｓの値を一定に保ちつつ、ゲートＧの電位上昇に連動してソースＳの電位も上昇する。これにより発光素子ＥＬの逆バイアス状態が解消し、ドライブトランジスタＴｒｄはＶｇｓに応じたドレイン電流Ｉｄｓを発光素子ＥＬに流す。ソースＳの電位は発光素子ＥＬに電流が流れるまで上昇し、発光素子ＥＬが発光する。ここで発光素子は発光時間が長くなるとその電流／電圧特性は変化する。このためソースＳの電位も変化する。しかしながらドライブトランジスタＴｒｄのゲート／ソース間電圧Ｖｇｓはブートストラップ動作により一定値に保たれているので、発光素子ＥＬに流れる電流は変化しない。よって発光素子ＥＬの電流／電圧特性が劣化しても、一定電流Ｉｄｓが常に流れ続け、発光素子ＥＬの輝度が変化することはない。更に本発明の焼き付き抑制システムを組み込むことで、発光素子の輝度劣化を補償している。
【００７６】
〈第六実施形態〉
［表示パネルのブロック構成］
図１７は、本発明に係る表示装置の第六実施形態の表示パネルを示すブロック図である。本表示装置は基本的に画素アレイ部１とスキャナ部と信号部とで構成されている。スキャナ部と信号部とで駆動部を構成する。画素アレイ部１は、行状に配された第１走査線ＷＳ、第２走査線ＤＳ、第３走査線ＡＺ１及び第４走査線ＡＺ２と、列状に配された信号線ＳＬと、これらの走査線ＷＳ，ＤＳ，ＡＺ１，ＡＺ２及び信号線ＳＬに接続した行列状の画素回路２と、各画素回路２の動作に必要な第１電位Ｖｓｓ１，第２電位Ｖｓｓ２及び第３電位Ｖｄｄを供給する複数の電源線とからなる。信号部は水平セレクタ３からなり、信号線ＳＬに映像信号を供給する。スキャナ部は、ライトスキャナ４、ドライブスキャナ５、第一補正用スキャナ７１及び第二補正用スキャナ７２からなり、それぞれ第１走査線ＷＳ、第２走査線ＤＳ、第３走査線ＡＺ１及び第４走査線ＡＺ２に制御信号を供給して順次行毎に画素回路２を走査する。
【００７７】
［画素回路の構成］
図１８は、図１７に示した表示装置に組み込まれる画素の構成を示す回路図である。本実施形態の画素は５個のトランジスタで構成されている点に特徴がある。図示する様に画素回路２は、サンプリングトランジスタＴｒ１と、ドライブトランジスタＴｒｄと、第１スイッチングトランジスタＴｒ２と、第２スイッチングトランジスタＴｒ３と、第３スイッチングトランジスタＴｒ４と、画素容量Ｃｓと、発光素子ＥＬとを含む。サンプリングトランジスタＴｒ１は、所定のサンプリング期間に走査線ＷＳから供給される制御信号に応じ導通して信号線ＳＬから供給された映像信号の信号電位を画素容量Ｃｓにサンプリングする。画素容量Ｃｓは、サンプリングされた映像信号の信号電位に応じてドライブトランジスタＴｒｄのゲートＧに入力電圧Ｖｇｓを印加する。ドライブトランジスタＴｒｄは、入力電圧Ｖｇｓに応じた出力電流Ｉｄｓを発光素子ＥＬに供給する。発光素子ＥＬは、所定の発光期間中ドライブトランジスタＴｒｄから供給される出力電流Ｉｄｓにより映像信号の信号電位に応じた輝度で発光する。
【００７８】
第１スイッチングトランジスタＴｒ２は、サンプリング期間（映像信号書込期間）に先立ち走査線ＡＺ１から供給される制御信号に応じ導通してドライブトランジスタＴｒｄの制御端であるゲートＧを第１電位Ｖｓｓ１に設定する。第２スイッチングトランジスタＴｒ３は、サンプリング期間に先立ち走査線ＡＺ２から供給される制御信号に応じ導通してドライブトランジスタＴｒｄの一方の電流端であるソースＳを第２電位Ｖｓｓ２に設定する。第３スイッチングトランジスタＴｒ４は、サンプリング期間に先立ち走査線ＤＳから供給される制御信号に応じ導通してドライブトランジスタＴｒｄの他方の電流端であるドレインを第３電位Ｖｄｄに接続し、以ってドライブトランジスタＴｒｄの閾電圧Ｖｔｈに相当する電圧を画素容量Ｃｓに保持させて閾電圧Ｖｔｈの影響を補正する。さらにこの第３スイッチングトランジスタＴｒ４は、発光期間に再び走査線ＤＳから供給される制御信号に応じ導通してドライブトランジスタＴｒｄを第３電位Ｖｄｄに接続して出力電流Ｉｄｓを発光素子ＥＬに流す。
【００７９】
以上の説明から明らかな様に、本画素回路２は、５個のトランジスタＴｒ１ないしＴｒ４及びＴｒｄと１個の画素容量Ｃｓと１個の発光素子ＥＬとで構成されている。トランジスタＴｒ１〜Ｔｒ３とＴｒｄはＮチャネル型のポリシリコンＴＦＴである。トランジスタＴｒ４のみＰチャネル型のポリシリコンＴＦＴである。但し本発明はこれに限られるものではなく、Ｎチャネル型とＰチャネル型のＴＦＴを適宜混在させることができる。発光素子ＥＬは例えばアノード及びカソードを備えたダイオード型の有機ＥＬデバイスである。但し本発明はこれに限られるものではなく、発光素子は一般的に電流駆動で発光する全てのデバイスを含む。
【００８０】
図１９は、図１８に示した表示パネルから画素回路２の部分のみを取り出した模式図である。理解を容易にするため、サンプリングトランジスタＴｒ１によってサンプリングされる映像信号の信号電位Ｖｓｉｇや、ドライブトランジスタＴｒｄの入力電圧Ｖｇｓ及び出力電流Ｉｄｓ、さらには発光素子ＥＬが有する容量成分Ｃｏｌｅｄなどを書き加えてある。以下図２２に基づいて、本発明にかかる画素回路２の動作を説明する。
【００８１】
［第六実施形態の動作］
図２０は、図１９に示した画素回路のタイミングチャートである。図２０は、時間軸Ｔに沿って各走査線ＷＳ，ＡＺ１，ＡＺ２及びＤＳに印加される制御信号の波形を表してある。表記を簡略化する為、制御信号も対応する走査線の符号と同じ符号で表してある。トランジスタＴｒ１，Ｔｒ２，Ｔｒ３はＮチャネル型なので、走査線ＷＳ，ＡＺ１，ＡＺ２がそれぞれハイレベルの時オンし、ローレベルの時オフする。一方トランジスタＴｒ４はＰチャネル型なので、走査線ＤＳがハイレベルの時オフし、ローレベルの時オンする。なおこのタイミングチャートは、各制御信号ＷＳ，ＡＺ１，ＡＺ２，ＤＳの波形と共に、ドライブトランジスタＴｒｄのゲートＧの電位変化及びソースＳの電位変化も表してある。
【００８２】
図２０のタイミングチャートではタイミングＴ１〜Ｔ８までを１フレーム（１ｆ）としてある。１フレームの間に画素アレイの各行が一回順次走査される。タイミングチャートは、１行分の画素に印加される各制御信号ＷＳ，ＡＺ１，ＡＺ２，ＤＳの波形を表してある。
【００８３】
当該フレームが始まる前のタイミングＴ０で、全ての制御線号ＷＳ，ＡＺ１，ＡＺ２，ＤＳがローレベルにある。したがってＮチャネル型のトランジスタＴｒ１，Ｔｒ２，Ｔｒ３はオフ状態にある一方、Ｐチャネル型のトランジスタＴｒ４のみオン状態である。したがってドライブトランジスタＴｒｄはオン状態のトランジスタＴｒ４を介して電源Ｖｄｄに接続しているので、所定の入力電圧Ｖｇｓに応じて出力電流Ｉｄｓを発光素子ＥＬに供給している。したがってタイミングＴ０で発光素子ＥＬは発光している。この時ドライブトランジスタＴｒｄに印加される入力電圧Ｖｇｓは、ゲート電位（Ｇ）とソース電位（Ｓ）の差で表される。
【００８４】
当該フレームが始まるタイミングＴ１で、制御信号ＤＳがローレベルからハイレベルに切り替わる。これによりスイッチングトランジスタＴｒ４がオフし、ドライブトランジスタＴｒｄは電源Ｖｄｄから切り離されるので、発光が停止し非発光期間に入る。したがってタイミングＴ１に入ると、全てのトランジスタＴｒ１〜Ｔｒ４がオフ状態になる。
【００８５】
続いてタイミングＴ２に進むと、制御信号ＡＺ１及びＡＺ２がハイレベルになるので、スイッチングトランジスタＴｒ２及びＴｒ３がオンする。この結果、ドライブトランジスタＴｒｄのゲートＧが基準電位Ｖｓｓ１に接続し、ソースＳが基準電位Ｖｓｓ２に接続される。ここでＶｓｓ１−Ｖｓｓ２＞Ｖｔｈを満たしており、Ｖｓｓ１−Ｖｓｓ２＝Ｖｇｓ＞Ｖｔｈとする事で、その後タイミングＴ３で行われるＶｔｈ補正の準備を行う。換言すると期間Ｔ２‐Ｔ３は、ドライブトランジスタＴｒｄのリセット期間に相当する。また、発光素子ＥＬの閾電圧をＶｔｈＥＬとすると、ＶｔｈＥＬ＞Ｖｓｓ２に設定されている。これにより、発光素子ＥＬにはマイナスバイアスが印加され、いわゆる逆バイアス状態となる。この逆バイアス状態は、後で行うＶｔｈ補正動作及び移動度補正動作を正常に行うために必要である。
【００８６】
タイミングＴ３では制御信号ＡＺ２をローレベルにし且つ直後制御信号ＤＳもローレベルにしている。これによりトランジスタＴｒ３がオフする一方トランジスタＴｒ４がオンする。この結果ドレイン電流Ｉｄｓが画素容量Ｃｓに流れ込み、Ｖｔｈ補正動作を開始する。この時ドライブトランジスタＴｒｄのゲートＧはＶｓｓ１に保持されており、ドライブトランジスタＴｒｄがカットオフするまで電流Ｉｄｓが流れる。カットオフするとドライブトランジスタＴｒｄのソース電位（Ｓ）はＶｓｓ１−Ｖｔｈとなる。ドレイン電流がカットオフした後のタイミングＴ４で制御信号ＤＳを再びハイレベルに戻し、スイッチングトランジスタＴｒ４をオフする。さらに制御信号ＡＺ１もローレベルに戻し、スイッチングトランジスタＴｒ２もオフする。この結果、画素容量ＣｓにＶｔｈが保持固定される。この様にタイミングＴ３‐Ｔ４はドライブトランジスタＴｒｄの閾電圧Ｖｔｈを検出する期間である。ここでは、この検出期間Ｔ３‐Ｔ４をＶｔｈ補正期間と呼んでいる。
【００８７】
この様にＶｔｈ補正を行った後タイミングＴ５で制御信号ＷＳをハイレベルに切り替え、サンプリングトランジスタＴｒ１をオンして映像信号Ｖｓｉｇを画素容量Ｃｓに書き込む。発光素子ＥＬの等価容量Ｃｏｌｅｄに比べて画素容量Ｃｓは充分に小さい。この結果、映像信号Ｖｓｉｇのほとんど大部分が画素容量Ｃｓに書き込まれる。正確には、Ｖｓｓ１に対するＶｓｉｇの差分Ｖｓｉｇ−Ｖｓｓ１が画素容量Ｃｓに書き込まれる。したがってドライブトランジスタＴｒｄのゲートＧとソースＳ間の電圧Ｖｇｓは、先に検出保持されたＶｔｈと今回サンプリングされたＶｓｉｇ−Ｖｓｓ１を加えたレベル（Ｖｓｉｇ−Ｖｓｓ１＋Ｖｔｈ）となる。以降説明簡易化の為Ｖｓｓ１＝０Ｖとすると、ゲート／ソース間電圧Ｖｇｓは図４のタイミングチャートに示すようにＶｓｉｇ＋Ｖｔｈとなる。かかる映像信号Ｖｓｉｇのサンプリングは制御信号ＷＳがローレベルに戻るタイミングＴ７まで行われる。すなわちタイミングＴ５‐Ｔ７がサンプリング期間（映像信号書込期間）に相当する。
【００８８】
サンプリング期間の終了するタイミングＴ７より前のタイミングＴ６で制御信号ＤＳがローレベルとなりスイッチングトランジスタＴｒ４がオンする。これによりドライブトランジスタＴｒｄが電源Ｖｄｄに接続されるので、画素回路は非発光期間から発光期間に進む。この様にサンプリングトランジスタＴｒ１がまだオン状態で且つスイッチングトランジスタＴｒ４がオン状態に入った期間Ｔ６‐Ｔ７で、ドライブトランジスタＴｒｄの移動度補正を行う。即ち本例では、サンプリング期間の後部分と発光期間の先頭部分とが重なる期間Ｔ６‐Ｔ７で移動度補正を行っている。なお、この移動度補正を行う発光期間の先頭では、発光素子ＥＬは実際には逆バイアス状態にあるので発光する事はない。この移動度補正期間Ｔ６‐Ｔ７では、ドライブトランジスタＴｒｄのゲートＧが映像信号Ｖｓｉｇのレベルに固定された状態で、ドライブトランジスタＴｒｄにドレイン電流Ｉｄｓが流れる。ここでＶｓｓ１−Ｖｔｈ＜ＶｔｈＥＬと設定しておく事で、発光素子ＥＬは逆バイアス状態におかれる為、ダイオード特性ではなく単純な容量特性を示すようになる。よってドライブトランジスタＴｒｄに流れる電流Ｉｄｓは画素容量Ｃｓと発光素子ＥＬの等価容量Ｃｏｌｅｄの両者を結合した容量Ｃ＝Ｃｓ＋Ｃｏｌｅｄに書き込まれていく。これによりドライブトランジスタＴｒｄのソース電位（Ｓ）は上昇していく。図２３のタイミングチャートではこの上昇分をΔＶで表してある。この上昇分ΔＶは結局画素容量Ｃｓに保持されたゲート／ソース間電圧Ｖｇｓから差し引かれる事になるので、負帰還をかけた事になる。この様にドライブトランジスタＴｒｄの出力電流Ｉｄｓを同じくドライブトランジスタＴｒｄの入力電圧Ｖｇｓに負帰還する事で、移動度μを補正する事が可能である。なお負帰還量ΔＶは移動度補正期間Ｔ６‐Ｔ７の時間幅ｔを調整する事で最適化可能である。
【００８９】
タイミングＴ７では制御信号ＷＳがローレベルとなりサンプリングトランジスタＴｒ１がオフする。この結果ドライブトランジスタＴｒｄのゲートＧは信号線ＳＬから切り離される。映像信号Ｖｓｉｇの印加が解除されるので、ドライブトランジスタＴｒｄのゲート電位（Ｇ）は上昇可能となり、ソース電位（Ｓ）と共に上昇していく。その間画素容量Ｃｓに保持されたゲート／ソース間電圧Ｖｇｓは（Ｖｓｉｇ−ΔＶ＋Ｖｔｈ）の値を維持する。ソース電位（Ｓ）の上昇に伴い、発光素子ＥＬの逆バイアス状態は解消されるので、出力電流Ｉｄｓの流入により発光素子ＥＬは実際に発光を開始する。この時のドレイン電流Ｉｄｓ対ゲート電圧Ｖｇｓの関係は、先のトランジスタ特性式１のＶｇｓにＶｓｉｇ−ΔＶ＋Ｖｔｈを代入する事で、以下の式のように与えられる。
Ｉｄｓ＝ｋμ（Ｖｇｓ−Ｖｔｈ）２＝ｋμ（Ｖｓｉｇ−ΔＶ）２
上記式において、ｋ＝（１／２）（Ｗ／Ｌ）Ｃｏｘである。この特性式からＶｔｈの項がキャンセルされており、発光素子ＥＬに供給される出力電流ＩｄｓはドライブトランジスタＴｒｄの閾電圧Ｖｔｈに依存しない事が分かる。基本的にドレイン電流Ｉｄｓは映像信号の信号電圧Ｖｓｉｇによって決まる。換言すると、発光素子ＥＬは映像信号Ｖｓｉｇに応じた輝度で発光する事になる。その際Ｖｓｉｇは負帰還量ΔＶで補正されている。この補正量ΔＶは丁度特性式の係数部に位置する移動度μの効果を打ち消すように働く。したがって、ドレイン電流Ｉｄｓは実質的に映像信号Ｖｓｉｇのみに依存する事になる。
【００９０】
最後にタイミングＴ８に至ると制御信号ＤＳがハイレベルとなってスイッチングトランジスタＴｒ４がオフし、発光が終了すると共に当該フレームが終わる。この後次のフレームに移って再びＶｔｈ補正動作、移動度補正動作及び発光動作が繰り返される事になる。
【００９１】
〈応用形態〉
本発明にかかる表示装置は、図２１に示すような薄膜デバイス構成を有する。図２１はＴＦＴ部分がＢｏｔｔｏｍゲート構造（ゲート電極がチャネルＰＳ層に対して下にある）である。この他にＴＦＴ部分に関してはＳａｎｄｗｉｃｈゲート構造（チャネルＰＳ層を上下のゲート電極ではさむ）、Ｔｏｐゲート構造（ゲート電極がチャネルＰＳ層に対して上にある）のようなバリエーションがある。本図は、絶縁性の基板に形成された画素の模式的な断面構造を表している。図示するように、画素は、複数の薄膜トランジタを含むトランジスタ部（図では１個のＴＦＴを例示）、画素容量などの容量部及び有機ＥＬ素子などの発光部とを含む。基板の上にＴＦＴプロセスでトランジスタ部や容量部が形成され、その上に有機ＥＬ素子などの発光部が積層されている。その上に接着剤を介して透明な対向基板を貼り付けてフラットパネルとしている。
【００９２】
本発明にかかる表示装置は、図２２に示すようにフラット型のモジュール形状のものを含む。例えば絶縁性の基板上に、有機ＥＬ素子、薄膜トランジスタ、薄膜容量等からなる画素をマトリックス状に集積形成した画素アレイ部を設ける、この画素アレイ部（画素マトリックス部）を囲むように接着剤を配し、ガラス等の対向基板を貼り付けて表示モジュールとする。この透明な対向基板には必要に応じて、カラーフィルタ、保護膜、遮光膜等を設けてもよい。表示モジュールには、外部から画素アレイ部への信号等を入出力するためのコネクタとして例えばＦＰＣ（フレキシブルプリントサーキット）を設けてもよい。
【００９３】
以上説明した本発明における表示装置は、フラットパネル形状を有し、様々な電子機器、例えば、デジタルカメラ、ノート型パーソナルコンピューター、携帯電話、ビデオカメラなどに適用可能である。電子機器に入力された、若しくは、電子機器内で生成した駆動信号を画像若しくは映像として表示するあらゆる分野の電子機器のディスプレイに適用することが可能である。以下この様な表示装置が適用された電子機器の例を示す。電子機器は基本的に情報を処理する本体と、本体に入力する情報若しくは本体から出力された情報を表示する表示器とを含む。
【００９４】
図２３は本発明が適用されたテレビであり、フロントパネル１２、フィルターガラス１３等から構成される映像表示画面１１を含み、本発明の表示装置をその映像表示画面１１に用いることにより作製される。
【００９５】
図２４は本発明が適用されたデジタルカメラであり、上が正面図で下が背面図である。このデジタルカメラは、撮像レンズ、フラッシュ用の発光部１５、表示部１６、コントロールスイッチ、メニュースイッチ、シャッター１９等を含み、本発明の表示装置をその表示部１６に用いることにより作製される。
【００９６】
図２５は本発明が適用されたノート型パーソナルコンピュータであり、本体２０には文字等を入力するとき操作されるキーボード２１を含み、本体カバーには画像を表示する表示部２２を含み、本発明の表示装置をその表示部２２に用いることにより作製される。
【００９７】
図２６は本発明が適用された携帯端末装置である。左が開いた状態を表し、右が閉じた状態を表している。この携帯端末装置は、上側筐体２３、下側筐体２４、連結部（ここではヒンジ部）２５、ディスプレイ２６、サブディスプレイ２７、ピクチャーライト２８、カメラ２９等を含む。本発明の表示装置をそのディスプレイ２６やサブディスプレイ２７に用いることにより作製される。
【００９８】
図２７は本発明が適用されたビデオカメラであり、本体部３０、前方を向いた側面に被写体撮影用のレンズ３４、撮影時のスタート／ストップスイッチ３５、モニター３６等を含み、本発明の表示装置をそのモニター３６に用いることにより作製される。
【図面の簡単な説明】
【００９９】
【図１】本発明に係る表示装置の第一実施形態に係るパネルのブロック図である。
【図２】第一実施形態の画素回路図である。
【図３】第一実施形態の動作説明に供するタイミングチャートである。
【図４】同じく動作説明に供するタイミングチャートである。
【図５】第一実施形態の全体構成を示すブロック図である。
【図６】焼き付き現象を示す模式図である。
【図７】第一実施形態の発光輝度検出の点順次走査を示す模式図である。
【図８】第一実施形態の動作説明に供する模式図である。
【図９】第二実施形態の全体構成を示すブロック図である。
【図１０】パネルの拡大断面図である。
【図１１】本発明に係る表示装置の第三実施形態の動作説明に供するタイミングチャートである。
【図１２】同じく第三実施形態の動作説明に供するタイミングチャートである。
【図１３】本発明に係る表示装置の第四実施形態の動作説明に供する模式図である。である。
【図１４】本発明に係る表示装置の第五実施形態のパネル構成を示すブロック図である。
【図１５】画素回路の構成を示す回路図である。
【図１６】動作説明に供するタイミングチャートである。
【図１７】本発明に係る表示装置の第六実施形態の表示パネルを示すブロック図である。
【図１８】第六実施形態の画素回路図である。
【図１９】同じく画素回路図である。
【図２０】第六実施形態の動作説明に供するタイミングチャートである。
【図２１】本発明の応用形態にかかる表示装置のデバイス構成を示す断面図である。
【図２２】本発明の応用形態にかかる表示装置のモジュール構成を示す平面図である。
【図２３】本発明の応用形態にかかる表示装置を備えたテレビジョンセットを示す斜視図である。
【図２４】本発明の応用形態にかかる表示装置を備えたデジタルスチルカメラを示す斜視図である。
【図２５】本発明の応用形態にかかる表示装置を備えたノート型パーソナルコンピューターを示す斜視図である。
【図２６】本発明の応用形態にかかる表示装置を備えた携帯端末装置を示す模式図である。
【図２７】本発明の応用形態にかかる表示装置を備えたビデオカメラを示す斜視図である。
【符号の説明】
【０１００】
０：パネル  １：画面部（画素アレイ部）  ２：画素  ３：ドライバ  ４：スキャナ  ８：光センサー  １０：信号処理部
【図１】
2010113226.tif 000003
【図２】
2010113226.tif 000004
【図３】
2010113226.tif 000005
【図４】
2010113226.tif 000006
【図５】
2010113226.tif 000007
【図６】
2010113226.tif 000008
【図７】
2010113226.tif 000009
【図８】
2010113226.tif 000010
【図９】
2010113226.tif 000011
【図１０】
2010113226.tif 000012
【図１１】
2010113226.tif 000013
【図１２】
2010113226.tif 000014
【図１３】
2010113226.tif 000015
【図１４】
2010113226.tif 000016
【図１５】
2010113226.tif 000017
【図１６】
2010113226.tif 000018
【図１７】
2010113226.tif 000019
【図１８】
2010113226.tif 000020
【図１９】
2010113226.tif 000021
【図２０】
2010113226.tif 000022
【図２１】
2010113226.tif 000023
【図２２】
2010113226.tif 000024
【図２３】
2010113226.tif 000025
【図２４】
2010113226.tif 000026
【図２５】
2010113226.tif 000027
【図２６】
2010113226.tif 000028
【図２７】
2010113226.tif 000029